(57)【要約】【課題】  一枚の台板で、封筒、はがき、便箋、図面等に、バランスよい文字や線を記載することができる多目的ガイド板を提供すること。【解決手段】  本発明の多目的ガイド板は、平板状の台板と、かかる台板に形成された、封筒の記載位置をガイドする封筒記載ガイド部と、はがきの記載位置をガイドするはがき記載ガイド部と、便箋の記載位置をガイドする便箋記載ガイド部とを備えることを特徴とする。  また、前記ガイド部周囲に等間隔の目印を形成した。さらに前記台板に、鎖線または／もしくは点線の記載をガイドする線ガイド部を形成した。【選択図】図１
2014000788.tif 000002
【特許請求の範囲】
【請求項１】
平板状の台板と、かかる台板に形成された、封筒の記載位置をガイドする封筒記載ガイド部と、はがきの記載位置をガイドするはがき記載ガイド部と、便箋の記載位置をガイドする便箋記載ガイド部とを備えることを特徴とする多目的ガイド板。
【請求項２】
前記ガイド部周囲に、等間隔の目印を形成した請求項１記載の多目的ガイド板。
【請求項３】
前記台板に、鎖線または／もしくは点線の記載をガイドする線ガイド部を形成した請求項１記載の多目的ガイド板。
【発明の詳細な説明】
【技術分野】
【０００１】  本発明は、一枚の台板で、封筒、はがき、便箋、図面等に、バランスよい文字や線を記載することができる多目的ガイド板に関する。
【背景技術】
【０００２】  一般的に、封筒やはがき等の表面には、郵便番号、住所、宛名等を記載する必要がある。しかしながら、封筒やはがきの表面は無地であり、その表面に住所や宛名等をバランスよく記載するのは非常に困難であった。
【先行技術文献】
【特許文献】
【０００３】  それらの課題を解決する従来技術として、官製ハガキ、私製ハガキに宛名と差出人に加えて本文の記載位置を相応しい位置に相応しい長さで確定することが出来る記載位置を確定する定規がある（例えば特許文献１参照）。
上掲特許文献１の位置を確定する定規は、合成樹脂製の板に、ハガキ類に宛名、差出人に加えて本文を記載する位置を確定する為に相応しい位置を相応しい長さの基準線を書くことができる切抜き部についてその切抜き部が１枚の板の同一面上にありかつ本文用の切抜き部と切抜き部の間に宛先の住所氏名用及び差出人の住所氏名用の切抜き部を持つことを特徴とする。
【特許文献１】特許第４０２５８８８号公報
【発明の概要】
【発明が解決しようとする課題】
【０００４】  しかしながら、上掲特許文献１の記載位置を確定する定規は、官製ハガキや私製ハガキのみに使用されるものであり、使用範囲が限定されるという欠点があった。また記載する位置を確定する為の基準線を書くものであり、文字の幅や大きさを確定するまでには至らなかった。【０００５】  そこで本発明は上記の点に鑑み、はがきは基より、一枚の台板で、封筒、便箋、図面等に、バランスよい文字や線を記載することができる多目的ガイド板を提供することにある。
【解決を解決するための手段】
【０００６】  上記課題を解決するために本発明の多目的ガイド板は、平板状の台板と、かかる台板に形成された、封筒の記載位置をガイドする封筒記載ガイド部と、はがきの記載位置をガイドするはがき記載ガイド部と、便箋の記載位置をガイドする便箋記載ガイド部とを備えることを特徴とする。
【０００７】  また、前記ガイド部周囲に等間隔の目印を形成した。
【０００８】  さらに前記台板に、鎖線または／もしくは点線の記載をガイドする線ガイド部を形成した。
【発明の効果】
【０００９】  一枚の平板状の台板に、封筒の記載位置をガイドする封筒記載ガイド部と、はがきの記載位置をガイドするはがき記載ガイド部と、便箋の記載位置をガイドする便箋記載ガイド部とを備えることにより、封筒、はがき、便箋の宛名を記載する位置を明確に確定することができる。
【００１０】  また台板に、鎖線または／もしくは点線の記載をガイドする線ガイド部を形成したことで、図面作成時における中心鎖線や点線等を正確に記載することができる。
【図面の簡単な説明】
【００１１】
【図１】本発明における多目的ガイド板の全体図である。
【図２】前記多目的ガイド板の封筒使用時にける使用状態図である。
【図３】前記多目的ガイド板のはがき使用時にける使用状態図である。
【図４】前記多目的ガイド板の便箋使用時にける使用状態図である。
【図５】前記多目的ガイド板の図面使用時にける使用状態図である。
【発明を実施するための形態】
【００１２】  本発明の多目的ガイド板は、一枚の台板で、封筒、はがき、便箋、図面等に、バランスよい文字や線を記載することができることを特徴とする。
以下、本発明の多目的ガイド板における実施の形態を図面に基づいて説明する。
【００１３】  図示する本発明の多目的ガイド板１は、一枚の平板状の台板２と、台板２に形成された、封筒１０の記載位置をガイドする封筒記載ガイド部１１と、はがき２０の記載位置をガイドするはがき記載ガイド部２１と、便箋３０の記載位置をガイドする便箋記載ガイド部３１とを備える。前記封筒記載ガイド部１１、はがき記載ガイド部２１、および便箋記載ガイド部３１は、多目的ガイド板１を穿孔することにより形成される。
【００１４】  台板２は、薄板状の合成樹脂素材からなり、透明もしくは半透明に形成されている。
また特に前記台板２は、使用勝手や携帯性を考慮した場合、約２１０ｍｍ×３００ｍｍのＡ４サイズで形成することが好ましい。
【００１５】  前記台板２に形成された封筒記載ガイド部１１は、郵便番号の記載をガイドする郵便番号ガイド部１２と、宛先の住所の記載をガイドする宛先ガイド部１３と、宛名の記載をガイドする宛名ガイド部１４と、差出人の住所や名前を記載する差出人ガイド部１５とからなる。また封筒記載ガイド部１１の周囲には、封筒１０の配設位置を決める封筒枠部１６が形成されている。
【００１６】  前記郵便番号ガイド部１２の縦幅は約７ｍｍ、横幅は約７０ｍｍ程度に、宛先ガイド部１３は、幅６ｍｍ、長さ１００ｍｍ程度に、宛名ガイド部１４は、幅１０ｍｍ、長さ８０ｍｍ程度に穿孔されている。また差出人ガイド部１５は、幅６ｍｍ、長さ６５ｍｍ程度に穿孔されている。なお、前記郵便番号ガイド部１２、宛先ガイド部１３、宛名ガイド部１４の幅や長さは特に限定されたものではない。
【００１７】  前記台板２に形成されたはがき記載ガイド部１１は、郵便番号の記載をガイドする郵便番号ガイド部２２と、宛先の住所の記載をガイドする宛先ガイド部２３と、宛名の記載をガイドする宛名ガイド部２４と、差出人の住所や名前を記載する差出人ガイド部２５とからなる。また、はがき記載ガイド部２１の周囲には、はがき２０の配設位置を決めるはがき枠部２６が形成されている。
【００１８】  前記郵便番号ガイド部２２の縦幅は約７ｍｍ、横幅は約７０ｍｍ程度に、宛先ガイド部２３は、幅７ｍｍ、長さ７０ｍｍ程度に、宛名ガイド部２４は、幅１０ｍｍ、長さ８０ｍｍ程度に穿孔されている。また差出人ガイド部２５は、幅６ｍｍ、長さ５５ｍｍ程度に穿孔されている。なお、前記郵便番号ガイド部２２、宛先ガイド部２３、宛名ガイド部２４の幅や長さは特に限定されたものではない。
【００１９】  また前記台板２に形成された便箋記載ガイド部３１は、文字の記載をガイドする短状文字ガイド部３２と長状文字ガイド部３３が複数形成されている。短状文字ガイド部３２は幅７５ｍｍ、縦幅８ｍｍに、長状文字ガイド部３３は幅１５０ｍｍ、縦幅８ｍｍに形成されている。なお、前記便箋記載ガイド部３１は、前記台板２を縦方向に配置させることで、縦書用の便箋にも使用することができる。
【００２０】  また他の好適例として、前記ガイド部１１，２１，３１の周囲には、目印４０が等間隔に形成されている。前記目印４０は約１０ｍｍ間隔で等間隔に形成されている。前記ガイド部の周囲に目印４０を形成することで、文字間隔を正確に確認することができる。なお、前記目印４０の幅は特に限定されたものではない。
【００２１】  また他の好適例として、前記台板２に、鎖線または／もしくは点線の記載をガイドする線ガイド部５０を形成した。線ガイド部５０は、鎖線の記載をガイドする鎖線ガイド部５１と、点線の記載をガイドする点線ガイド部５２とからなる。前記鎖線ガイド部５１と点線ガイド部５２を形成することで、図面等の作成時に必要とする鎖線と点線を正確に記載することができる。
【００２２】  次に、本発明の多目的ガイド板１の使用方法を図２乃至図５に基づいて説明する。
図２は、封筒１０の表面に郵便番号や宛名等を記載する状態を示す。先ず、多目的ガイド板１の下面に封筒１０を配置させる。この際、封筒枠部１６に封筒１０を合わせて配置させる。次に、郵便番号ガイド部１２に沿って郵便番号を、宛先ガイド部１３に沿って送付先の住所を、宛名ガイド部１４に沿って宛名を、さらに、差出人ガイド部１５に沿って住所や名前を記載する。
【００２３】  図３は、はがき２０の表面に郵便番号や宛名等を記載する状態を示す。先ず、多目的ガイド板１の下面にはがき２０を配置させる。この際、はがき枠部２６にはがき２０を合わせて配置させる。次に、郵便番号ガイド部２２に沿って郵便番号を、宛先ガイド部２３に沿って送付先の住所を、宛名ガイド部２４に沿って宛名を、さらに、差出人ガイド部２５に沿って住所や名前を記載する。
【００２４】  図４は、便箋３０の表面に文字を記載する状態を示す。先ず、多目的ガイド板１の下面に便箋３０を配置させる。この状態で、便箋記載ガイド部３１に沿って文字を記載する。なお縦書きの便箋の場合、多目的ガイド板１を縦文字用に合わせて配置させる。
【００２５】  図５は、図面等に鎖線や点線を記載する状態を示す。先ず、多目的ガイド板１の下面に図面を配置させる。次に、センターラインや想像線を記載する箇所に線記載部５０を配置させ、線記載部５０に沿って鎖線、もしくは点線を記載する。
【００２６】  上述の如く、本発明の多目的ガイド板によれば、一枚の平板状の台板に、封筒の記載位置をガイドする封筒記載ガイド部と、はがきの記載位置をガイドするはがき記載ガイド部と、便箋の記載位置をガイドする便箋記載ガイド部とを備えることにより、封筒、はがき、便箋の宛名等を記載する位置を明確に確定することができる。
【符号の説明】
【００２７】１    多目的ガイド板
１０  封筒
１１  封筒記載ガイド部
１２  郵便番号ガイド部
１３  宛先ガイド部
１４  宛名ガイド部
１５  差出人ガイド部
１６  封筒枠部
２０  はがき
２１  ハガキ記載ガイド部
２２  郵便番号ガイド部
２３  宛先ガイド部
２４  宛名ガイド部
２５  差出人ガイド部
２６  はがき枠部
３０  便箋
３１  便箋記載ガイド部
３２  短状文字ガイド部
３３  長状文字ガイド部
４０  目印
５０  線ガイド部
５１  鎖線ガイド部
５２  点線ガイド部
【図１】
2014000788.tif 000003
【図２】
2014000788.tif 000004
【図３】
2014000788.tif 000005
【図４】
2014000788.tif 000006
【図５】
2014000788.tif 000007